(57)【要約】      （修正有）【課題】駅、観光スポットなどの公共性の高い場所での案内板として使用できる案内表示システムを提供する。【解決手段】案内板１に取り付けたＲＦＩＤタグ２と、ＲＦＩＤタグ２を読み取る携帯型情報処理装置３と、携帯型情報処理装置３とインターネットを介して接続された管理コンピュータ４とから構成し、管理コンピュータ４は、複数の案内板のそれぞれについての案内情報４２を蓄積したデータベース４１と、複数の案内板のそれぞれと結びつけられたＵＲＬへのアクセス要求に基づいて当該ＵＲＬに対応する案内板に関する案内情報４２を送信する情報表示手段４３とを具備する。案内板に取り付けたＲＦＩＤタグには、携帯型情報処理装置に送信する送信情報として当該案内板に関する案内情報に対応するＵＲＬが格納されており、情報表示手段４３は、案内情報を送信する前に、複数の案内項目から所望の案内項目を選択する案内メニュー画面を送信する。【選択図】図１
2016115090.tif 000002
【特許請求の範囲】
【請求項１】
案内板に取り付けたＲＦＩＤタグと、前記ＲＦＩＤタグを読み取る携帯型情報処理装置と、前記携帯型情報処理装置とインターネットを介して接続された管理コンピュータとより成る案内表示システムであって、
前記ＲＦＩＤタグは全体がゴム状弾性材により被覆されており、
前記管理コンピュータは、複数の案内板のそれぞれについての案内情報を蓄積したデータベースと、前記複数の案内板のそれぞれと結びつけられたＵＲＬへのアクセス要求に基づいて当該ＵＲＬに対応する案内板に関する案内情報を送信する情報表示手段とを具備し、
前記案内板に取り付けたＲＦＩＤタグには、前記携帯型情報処理装置に送信する送信情報として当該案内板に関する案内情報に対応するＵＲＬが格納されており、
前記情報表示手段は、前記案内情報を送信する前に、複数の案内項目から所望の案内項目を選択する案内メニュー画面を送信することを特徴とする案内表示システム。
【請求項２】
前記情報表示手段は、前記案内メニュー画面に又は前記案内メニュー画面の表示の前に、複数の言語から表示言語を選択する言語選択メニューを備えることを特徴とする請求項１に記載の案内表示システム。
【請求項３】
前記案内板が、駅、道路、施設、観光地の何れかに設置された案内板であることを特徴とする請求項１又は２に記載の案内表示システム。
【請求項４】
前記案内板が、展示施設の展示物に設置された案内板であることを特徴とする請求項１〜３の何れか一項に記載の案内表示システム。
【請求項５】
前記情報表示手段は、前記案内メニュー画面の表示の前に、アクセス制限解除の要求を行うことを特徴とする請求項１〜４の何れか一項に記載の案内表示システム。
【請求項６】
前記データベースに格納される前記案内情報の当該案内情報の一部には、アクセス制限された情報が含まれており、前記情報表示手段は、前記アクセス制限された情報に対してはアクセス制限解除の要求を行うことを特徴とする請求項１〜５の何れか一項に記載の案内表示システム。
【請求項７】
前記管理コンピュータは、前記複数の案内板のそれぞれと結びつけられたＵＲＬへのアクセス要求に基づいて当該ＵＲＬに対応する案内板についての案内情報へのアクセスを許容して当該案内情報の編集を許容する情報編集手段をさらに具備することを特徴とする請求項１〜６の何れか一項に記載の案内表示システム。
【請求項８】
前記情報表示手段は、前記アクセス要求の際又は編集要求の際にアクセス制限解除の要求を行うことを特徴とする請求項７に記載の案内表示システム。
【発明の詳細な説明】
【技術分野】
【０００１】
本発明は、案内表示システムに係り、更に詳しくは、本発明は、駅、観光スポットなどの公共性の高い場所での案内板として使用する案内表示システムに関する。
【背景技術】
【０００２】
従来、駅、観光スポット、各種スポーツ、美術施設などには、各種案内板が設置されているが、外国からの観光客等に対応するため、案内板の内容を多言語化する必要がある。この場合、案内板の表示を作り直さねばならないという問題がある。
【０００３】
一方、レストランなどの店舗サービスの一環として、店舗を表示する表示部に無線ＩＣタグを配置し、店舗のホームページにアクセスさせるためのアクセス情報を格納しておき、各種サービスを提供するものが提案されている（特許文献１参照）。
【０００４】
しかしながら、駅、観光スポットなどの公共性の高い場所での総合的な案内板を機能的にするアイデアは提案されていない。
【０００５】
また、上述した駅、観光スポットなどの公共性の高い場所での総合的な案内板は風雨にさらされることになるが、従来の上述したシステムに使用されるＲＦＩＤタグは、耐水性、塩水や排気ガス等に対する耐腐食性、耐摩耗性、耐変形性等が十分でない為、厳しい環境に曝される案内板に設置するのには不向きであった。
【０００６】
一方、美術館などの絵画、彫刻等の芸術作品の解説を電子的に行う案内システムがある。一般的には、鑑賞経路に沿って展示された展示物の情報を音声で順次提供する専用システムが知られている。また、展示物に展示物の情報を格納したＩＣタグを設けておき、展示物の情報を携帯端末に表示するシステムが提案されている（特許文献２参照）。
【０００７】
このような展示品に関する情報は、何らかの事情で修正をすることが多々あり、上述したシステムでは、格納された情報をその都度書き換える必要があるという不都合がある。
【先行技術文献】
【特許文献】
【０００８】
【特許文献１】特開２００８−１４６６７８号公報
【特許文献２】特開２００３−３４７９９１号公報
【発明の概要】
【発明が解決しようとする課題】
【０００９】
駅、観光スポットなどの公共性の高い場所での案内板として使用でき、種々の情報を容易に提供できる案内表示システムを提供することを目的とする。
【００１０】
耐水性、塩水や排気ガス等に対する耐腐食性、耐摩耗性、耐変形性等が要求される厳しい環境での案内板に使用できる案内表示システムを提供することを目的とする。
【００１１】
また、提供する情報を容易に管理できる案内板表示システムを提供することを目的とする。
【課題を解決するための手段】
【００１２】
本発明の第１の態様は、案内板に取り付けたＲＦＩＤタグと、前記ＲＦＩＤタグを読み取る携帯型情報処理装置と、前記携帯型情報処理装置とインターネットを介して接続された管理コンピュータとより成る案内表示システムであって、前記ＲＦＩＤタグは全体がゴム状弾性材により被覆されており、前記管理コンピュータは、複数の案内板のそれぞれについての案内情報を蓄積したデータベースと、前記複数の案内板のそれぞれと結びつけられたＵＲＬへのアクセス要求に基づいて当該ＵＲＬに対応する案内板に関する案内情報を送信する情報表示手段とを具備し、前記案内板に取り付けたＲＦＩＤタグには、前記携帯型情報処理装置に送信する送信情報として当該案内板に関する案内情報に対応するＵＲＬが格納されており、前記情報表示手段は、前記案内情報を送信する前に、複数の案内項目から所望の案内項目を選択する案内メニュー画面を送信することを特徴とする案内表示システムにある。
【００１３】
かかる本発明の案内表示システムによれば、携帯型情報処理装置により案内板に設けられたＲＦＩＤタグからＵＲＬを読み取ると、読み取ったＵＲＬを用いて容易に管理コンピュータのデータベースにアクセスでき、案内板に関する案内情報を容易に閲覧できる。また、ＲＦＩＤタグ全体がゴム状弾性材により被覆されている構成としている為、耐水性、塩水や排気ガス等に対する耐腐食性、耐摩耗性、耐変形性等が要求される厳しい環境の案内板に使用できる。さらに、実際の案内板においては、スペースが有限であるので、表示できる案内情報が限られるが、本発明の案内表示システムでは、案内情報に実質的な制限を設ける必要はないので、有効な案内情報をほぼ無限に表示することができる。
【００１４】
本発明の第２の態様は、前記情報表示手段は、前記案内メニュー画面に又は前記案内メニュー画面の表示の前に、複数の言語から表示言語を選択する言語選択メニューを備えることを特徴とする案内表示システムにある。
【００１５】
かかる態様では、多言語化された案内情報を容易に提供することができる。
【００１６】
本発明の第３の態様は、前記案内板が、駅、道路、施設、観光地の何れかに設置された案内板であることを特徴とする案内表示システムにある。
【００１７】
かかる態様によれば、駅、道路、観光地などに設置された案内板を介して案内情報を容易に提供できる。
【００１８】
本発明の第４の態様は、前記案内板が、展示施設の展示物に設置された案内板であることを特徴とする案内表示システムにある。
【００１９】
かかる態様では、展示施設の展示物についての案内情報を容易に提供できる。
【００２０】
本発明の第５の態様は、前記情報表示手段は、前記案内メニュー画面の表示の前に、アクセス制限解除の要求を行うことを特徴とする案内表示システムにある。
【００２１】
かかる態様によれば、自由に閲覧させたくない案内情報については、アクセス制限することができ、セキュリティーを確保することができる。
【００２２】
本発明の第６の態様は、前記データベースに格納される前記案内情報の当該案内情報の一部には、アクセス制限された情報が含まれており、前記情報表示手段は、前記アクセス制限された情報に対してはアクセス制限解除の要求を行うことを特徴とする案内表示システムにある。
【００２３】
かかる態様では、案内情報として、自由に閲覧させる情報と、アクセス制限する情報とを共存させることができる。
【００２４】
本発明の第７の態様は、前記管理コンピュータは、前記複数の案内板のそれぞれと結びつけられたＵＲＬへのアクセス要求に基づいて当該ＵＲＬに対応する案内板についての案内情報へのアクセスを許容して当該案内情報の編集を許容する情報編集手段をさらに具備することを特徴とする案内表示システムにある。
【００２５】
かかる態様では、管理コンピュータのデータベースに格納された案内情報を、情報編集手段を介して容易に変更等することができる。
【００２６】
本発明の第８の態様は、前記情報表示手段は、前記アクセス要求の際又は編集要求の際にアクセス制限解除の要求を行うことを特徴とする案内表示システムにある。
【００２７】
かかる態様では、データベースの案内情報についてセキュリティーを確保することができる。
【発明の効果】
【００２８】
本発明の案内表示システムによれば、携帯型情報処理装置により案内板に設けられたＲＦＩＤタグからＵＲＬを読み取ると、読み取ったＵＲＬを用いて容易に管理コンピュータのデータベースにアクセスでき、案内板に関する案内情報を容易に閲覧できる。また、ＲＦＩＤタグ全体がゴム状弾性材により被覆されている構成としている為、耐水性、塩水や排気ガス等に対する耐腐食性、耐摩耗性、耐変形性等が要求される厳しい環境の案内板に使用できる。
【図面の簡単な説明】
【００２９】
【図１】案内表示システムの概念図。
【図２】本発明に使用されるＲＦＩＤタグの平面図。
【図３】図２のＲＦＩＤタグをゴム状弾性材で被覆した状態の平面図。
【図４】図３のＡ−Ａ断面図。
【図５】案内メニュー画面の例を示す図。
【図６】案内メニュー画面の例を示す図。
【図７】セキュリティー解除要求の画面の一例を示す図。
【図８】美術館の例を示す図。
【図９】データベースの一例を示す図。
【図１０】案内メニュー画面の例を示す図。
【図１１】案内メニュー画面の例を示す図。
【図１２】案内メニュー画面の例を示す図。
【図１３】案内メニュー画面の例を示す図。
【図１４】案内メニュー画面の例を示す図。
【発明を実施するための形態】
【００３０】
以下、本発明を実施するための最良の形態について説明する。
【００３１】
（実施形態１）
本発明に係る案内表示システムは、図１に示すように、案内板１に取り付けたＲＦＩＤタグ２と、このＲＦＩＤタグ２を読み取る携帯型情報処理装置３と、この携帯型情報処理装置３とインターネットを介して接続された管理コンピュータ４と、インターネットを介して管理コンピュータ４に接続するパソコン５とよりなる基本構成を備えている。
【００３２】
ここで、ＲＦＩＤ（Ｒａｄｉｏ Ｆｒｅｑｕｅｎｃｙ Ｉｄｅｎｔｉｆｉｃａｔｉｏｎ）タグ２は、図２に示す様に、数ｃｍ程度の大きさのタグにデータを記録し、電波や電磁波で携帯型情報処理装置３と交信する。通信距離は数ｍｍ程度のものから数ｍのものが有る。動作周波数の違いなどによって各種の規格があるが、何れを用いてもよく、ＮＦＣ（Ｎｅａｒ  Ｆｉｅｌｄ  Ｃｏｍｍｕｎｉｃａｔｉｏｎ）タグもＲＦＩＤタグの一種である。なお、ＲＦＩＤタグ２は、外部からの電波や電磁波をエネルギー源として動作するパッシブタイプのものであるが、必要に応じて、電池を内蔵したアクティブタイプを用いてもよい。
【００３３】
この為、人が近付く事が困難な場所に設けられた案内板１にＲＦＩＤタグ２を設置しても、ＲＦＩＤタグ２と携帯型情報処理装置３の間で通信が可能である。
【００３４】
携帯型情報処理装置３は、携帯電話、スマートフォン、タブレットなど、ＲＦＩＤ読み取り機能を有すると共にインターネットに接続できる機能を有するものであれば何れも用いることができる。勿論、ＲＤＩＤ読み取り機能とインターネット閲覧機能を有する専用端末を用いることもできる。
【００３５】
また、管理コンピュータ４は、インターネットに接続するコンピュータであれば、パソコンでもサーバでもよい。
【００３６】
本発明のＲＦＩＤタグ２は、図２に示す市販されているＲＦＩＤタグ２ａを、図３及び図４に示す様に、ＲＦＩＤタグ２ａ全体をゴム状弾性材２ｂにより被覆したものである。
【００３７】
この為、耐水性、塩水や排気ガス等に対する耐腐食性、耐摩耗性、耐変形性等が要求される厳しい環境の案内板に使用できる。
【００３８】
このゴム状弾性材２ｂに使用されるゴム材料としては、シリコーンゴム、ニトリルゴム(ＮＢＲ)、アクリルゴム(ＡＣＭ)、アクリル酸エチルーエチレン共重合ゴム(ＡＥＭ)、エチレンプロピレン系共重合ゴム(ＥＰＤＭ)、フッ素ゴム(ＦＫＭ)などが用いられ、使用用途に応じ各種ゴム材料が適宜使用されるが、好ましくは、室温硬化型シリコーンゴムである。
【００３９】
室温硬化型シリコーンゴムを使用することにより、ＲＦＩＤタグ２ａをゴム状弾性材２ｂにより被覆する際、ＲＦＩＤタグ２ａに熱的ダメージを与える事が無い。
【００４０】
また、ＲＦＩＤタグ２は、風雨に晒される案内板１に取り付けても、劣化が進むことがない。また、案内板１を設置する基台などのコンクリートと共にコンクリート内部に埋設することができる。
【００４１】
これは、ＲＦＩＤタグ２ａ全体をゴム状弾性材２ｂにより被覆している構成としている為、可能なものである。この事により、施工後に、案内板１にＲＦＩＤタグ２を取り付ける手間が省ける。
【００４２】
設置済みの案内板１に設置する場合には、必要であれば、ＲＦＩＤタグ２の上下両面をアクリル板等で挟持してＲＦＩＤタグ２を保護した状態で、このＲＦＩＤタグ２を挟持したアクリル板を、粘着剤やボルト等の固定手段により案内板１に設置する。
【００４３】
ＲＦＩＤタグ２には、所定周波数の電波や電磁波をエネルギー源として動作した際に送信する送信情報としてＵＲＬ２１が格納されている。
【００４４】
一方、携帯型情報処理装置３は、ＲＦＩＤ読み取り機能３１及びインターネットブラウザ３２を具備するものであり、上述した通り、代表的には、スマートフォン、タブレットである。
【００４５】
よって、ＲＦＩＤタグ２に携帯型情報処理装置３が近づいて所定周波数の電波や電磁波がＲＦＩＤタグ２に到達すると、ＲＦＩＤタグ２が電波や電磁波をエネルギー源として動作し、ＵＲＬ２１を携帯型情報処理装置３に送信する。
【００４６】
携帯型情報処理装置３は、受信したＵＲＬ２１により、インターネットブラウザ３２を介してインターネットに接続することができる。
【００４７】
管理コンピュータ４は、複数の案内板１について、案内板１に関する案内情報を蓄積したデータベース４１と、複数の案内板１のそれぞれと結びつけられたＵＲＬ２１へのアクセス要求に基づいて当該ＵＲＬ２１に対応する案内情報４２を送信する情報表示手段４３と、複数の案内板１のそれぞれと結びつけられたＵＲＬ２１へのアクセス要求に基づいて当該ＵＲＬ２１に対応する案内板１についての案内情報４２へのアクセスを許容して当該案内情報４２の編集を許容する情報編集手段４４とを具備する。
【００４８】
データベース４１は、案内板１毎、例えば、Ａ、Ｂ、Ｃ毎に、所定のメモリアドレスに案内情報４２を蓄積したものであり、これらの案内情報４２は、所定のＵＲＬ２１と関連付けられている。なお、案内情報４２は、例えば、案内板１が、例えば、空港内のものであれば、空港内案内に関する情報、避難経路の情報、空港内サービスに関する情報、災害時の緊急サイトコンテンツなどの情報などである。また、案内板１が観光スポットに設置されたものであれば、観光案内情報、観光マップ情報、宿泊施設情報、飲食店情報、観光サービスに関する情報などである。
【００４９】
なお、これらの案内情報４２は、日本語だけではなく、英語、中国語、韓国語、ドイツ語、フランス語など多言語で用意されており、言語選択メニューにより所望の言語の案内情報４２を閲覧することができるようになっている。
【００５０】
携帯型情報処理装置３のインターネットブラウザ３２から所定のＵＲＬ２１へのアクセス要求があった場合には、情報表示手段４３は、所定のＵＲＬ２１に関連付けられた案内情報４２を携帯型情報処理装置３へ送信する。これにより、携帯型情報処理装置３のインターネットブラウザ３２には、案内情報４２が表示される。
【００５１】
携帯型情報処理装置３に表示される画面の一例を図５に示す。図５（ａ）は、携帯型情報処理装置３に最初に表示される言語選択メニュー５１であり、所望の言語が選択できるようになっており、これにより、以降の表示が選択された言語に切り替わる。ここでは、日本語を選択したので、次に表示される案内メニュー画面５２は、日本語である。この案内メニュー画面５２は、複数の案内情報を選択できるボタンが並んでおり、ここでは、空港内案内５３、避難経路５４、災害時緊急サイトコンテンツ５５、空港内サービス情報５６が選択できるようになっている。
【００５２】
上述したように、携帯型情報処理装置３に最初に言語選択メニュー５１が表示され、その後、案内メニュー画面５２が表示されるようにしてもよいが、最初の画面で言語選択メニューを含む案内メニュー画面を表示するようにしてもよい。
【００５３】
この例を図６に示す。図６の案内メニュー画面６１は、言語選択メニューを表示するための多言語システムボタン６２を具備し、その他、クーポン６３、地図６４、おすすめ６５、災害情報６６、レンタカー６７、レジャー施設６８、外部のサイトに接続されるバナー６９を含んでいる。多言語システムボタン６２を選択すると、例えば、図５（ａ）に示すような言語選択メニューが表示され、所望の言語を選択すると、案内メニュー画面６１は、選択した言語の表示に変換されるようになっている。
【００５４】
ここで、情報表示手段４３は、所定のＵＲＬ２１へのアクセス要求があった場合に、アクセス制限解除の要求を行うようにしてもよい。アクセス制限解除の要求は、所定のＩＤ及びパスワードの要求であり、これらのＩＤ及びパスワードは、予め登録されたものである。
【００５５】
このようなアクセス制限解除の要求により、案内情報４２を閲覧できる者を制限することができ、セキュリティーを確保することができる。例えば、閲覧を許容する者へアクセスを許容するためのＩＤを付与しておき、ＩＤとパスワードを予め登録するようにすれば、所定の者のみに案内情報４２を閲覧させることができる。
【００５６】
また、案内情報４２へのアクセス制限は、案内情報４２の一部のみに行うようにしてもよい。又は、全体としてアクセス制限を設けた上で、さらに一部の情報についてはさらにアクセスを制限するようにしてもよい。すなわち、案内メニュー画面５２、６１の何れかの案内情報４２を選択した場合に、アクセス制限解除の要求をするようにしてもよい。
【００５７】
ここで、アクセス制限解除の要求を行うための画面の一例を図７に示す。図７の画面でＩＤ７１及びパスワード７２を入力して、ログインボタン７３を押すと、案内板１の案内情報を示す画面に移行する。この画面の一例は、図５や図６である。
【００５８】
一方、データベース４１に格納されている案内情報４２の編集は、情報編集手段４４を介して行うことができる。すなわち、パソコン５や携帯型情報処理装置３からインターネットを介して情報編集手段４４を動作させ、所望の案内情報４２を編集することができ、また、案内板１について新たな案内情報４２を追加することもできる。情報編集手段４４を動作させるためには、起動用の所定のＵＲＬを用意し、当該ＵＲＬへアクセスするようにしてもよいし、所定の案内情報４２を閲覧した状態から、情報編集手段４４を起動させることができるようにしてもよい。なお、情報表示手段４３の起動は、データベース４１の管理者など限定された者のみに行うようにすればよく、アクセス制限解除のためのＩＤ及びパスワードなどを予め登録しておけばよい。
【００５９】
情報編集手段４４によれば、パソコン５からインターネットを介して案内情報４２にアクセスし、容易に編集することができる。
【００６０】
以上説明した案内表示システムによれば、案内板１に取り付けたＲＦＩＤ２に格納したＵＲＬ２１を、スマートフォン、タブレットなどの携帯型情報処理装置３により容易に読み取ることができ、読み取ったＵＲＬ２１を介して案内情報４２を容易に閲覧することができる。ここで、ＲＦＩＤ２には、ＵＲＬ２１が格納され、これが携帯型情報処理装置３に送信されるので、案内情報４２へのアクセスが極めて容易である。
【００６１】
よって、例えば、駅、観光スポット、各種スポーツ、美術施設などの既設の案内板１を容易に多言語化することができ、また、古い情報を最新の情報に容易に更新することができる。そして、各種案内板１に設けられたＲＦＩＤ２から、スマートフォン、タブレットなどの携帯型情報処理装置３で読み取り、ＵＲＬ２１にアクセスするだけで、案内板１に表示された案内情報やそれに関連する各種情報を所望の言語で閲覧することができる。また、この際、ＲＦＩＤタグ２ａ全体がゴム状弾性材２ｂにより被覆されている構成としている為、耐水性、塩水や排気ガス等に対する耐腐食性、耐摩耗性、耐変形性等が要求される厳しい環境下でも高い信頼性を確保することができる。
【００６２】
（実施形態２）
実施形態２では、美術館での案内表示システムの一例を図８、図９を参照しながら説明する。図８は、美術館に展示された絵画であり、各絵画Ａ、ＢにＲＦＩＤ２Ａ、２Ｂが設けられている。ＲＦＩＤ２Ａ、２Ｂには、ＵＲＬが格納され、管理コンピュータに格納されたデータベースには、ＵＲＬに関連付けて展示物の案内情報が格納されている。かかるデータベースの一例が図９である。これにより、スマートフォン、タブレットなどの携帯型情報処理装置３をＲＦＩＤ２Ａ、２Ｂに近づけるだけで、展示物である絵画ＡやＢの案内情報が携帯型情報処理装置３で閲覧できる。なお、この場合にも、案内情報は多言語化されており、上述したような言語選択メニューが用意されている。
【００６３】
このような美術施設などで利用する場合にも、容易に多言語化することができ、また、案内情報に変更すべき箇所が発見された場合には、容易に変更できる。
【００６４】
（実施形態３）
実施形態３では、特定の施設内だけで案内情報を閲覧可能とする一例を、図１０、図１１を参照しながら説明する。図１０、図１１は、施設３００内での案内板Ｃ、Ｄなどに基づく案内情報４２Ａを提供する例を概念的に示すものである。
【００６５】
施設３００内には、案内板Ｃ、Ｄがあり、案内板Ｃ、Ｄには、それぞれ、ＲＦＩＤ２Ｃ、２Ｄが設けられている。ＲＦＩＤ２Ｃ、２Ｄには、特定サイトのアドレスとなるＵＲＬ２１Ｃ、２１Ｄが格納されている。これらのＵＲＬ２１Ｃ、２１Ｄなどの特定サイトは、案内表示アプリ（アプリケーション）３１０でのみアクセス可能なサイトであり、所定のアクセス許可キーなどによりアクセス可能となるように設定されている。
【００６６】
使用者は、スマートフォン、タブレットなどの携帯型情報処理装置３に案内表示アプリ３１０をダウンロードしておく。もしくは案内表示アプリ３１０を内蔵する専用の携帯型情報処理装置３を用いる。
【００６７】
案内表示アプリ３１０は、ＵＲＬ２１Ｃ、２１Ｄなどへのアクセスを可能とするアプリである。施設３００の入口には、入場端末２１０が設けられ、案内表示アプリ３１０は、ＲＦＩＤ読み取り機能３１を使用して入場端末２１０内のＲＦＩＤからアクセス許可キー２１０Ａを取得して格納する。そして、案内表示アプリ３１０は、例えば、案内板Ｃに設けられているＲＦＩＤ２Ｃに格納されているＵＲＬ２１Ｃを取得した場合には、アクセス許可キー２１０Ａを用いてＵＲＬ２１Ｃにアクセスし、案内情報４２Ａを表示するようになっている。また、案内板Ｄに設けられたＲＦＩＤ２Ｄに格納されたＵＲＬ２１Ｄを取得した場合には、ＵＲＬ２１Ｄにアクセスし、その案内情報４２Ａを表示するようになっている。なお、使用者が出口の退場端末２２０で退場処理を行い、専用の案内表示アプリ３１０が、退場端末２２０内のＲＦＩＤからアクセス終了キー２２０Ａを取得した場合には、案内表示アプリ３１０は、先に格納しておいたアクセス許可キー２１０Ａを無効とし、ＵＲＬ２１ＣやＵＲＬ２１Ｄへのアクセスや先に表示した案内情報４２Ａの表示ができないように設定しておく。これにより、特定サイトに格納された案内情報４２Ａへのアクセスは、案内表示アプリ３１０を用い、施設３００内に滞在しているときのみ、アクセス可能とすることができる。
【００６８】
これにより、スポーツ施設、美術館、博物館など、特に著作権に関連する案内情報４２Ａを提供する場合などに好適である。
【００６９】
なお、本実施形態では、特定サイトに格納した案内情報へのアクセスを特定施設内でのみに制限する処理を、専用の案内表示アプリを用い、アクセス許可キーを用いて行ったが、アクセスを制限する手法は、これに限定されるものではない。
【００７０】
（実施形態４）
実施形態４では、特定の施設内だけで案内情報を閲覧可能とする他の例を、図１２、図１３を参照しながら説明する。図１２、図１３は、施設４００内での案内板Ｅ、Ｆなどに基づく案内情報４２Ｂを提供する例を概念的に示すものである。
【００７１】
施設４００内には、案内板Ｅ、Ｆがあり、案内板Ｅ、Ｆには、それぞれ、ＲＦＩＤ２Ｅ、２Ｆが設けられている。ＲＦＩＤ２Ｅ、２Ｆには、特定サイトのアドレスとなるＵＲＬ２１Ｅ、２１Ｆが格納されている。これらのＵＲＬ２１Ｅ、２１Ｆなどの特定サイトは、案内表示アプリ４１０でのみアクセス可能なサイトであり、所定のアクセス許可キーなどによりアクセス可能となるように設定されている。
【００７２】
使用者は、スマートフォン、タブレットなどの携帯型情報処理装置３に案内表示アプリ４１０をダウンロードしておく。もしくは案内表示アプリ４１０を内蔵する専用の携帯型情報処理装置３を用いる。
【００７３】
案内表示アプリ４１０は、ＵＲＬ２１Ｅ、２１Ｆなどへのアクセスを可能とするアプリである。案内表示アプリ４１０は、スマートフォン、タブレットなどの携帯型情報処理装置３に内蔵されている位置情報取得手段４２０から、ＧＰＳ情報４２１を取得して格納する。そして、案内表示アプリ４１０は、例えば、案内板Ｅに設けられているＲＦＩＤ２Ｅに格納されているＵＲＬ２１Ｅを取得した場合には、ＧＰＳ情報４２１を用いてＵＲＬ２１Ｅにアクセスし、ウエブサイトは、ＧＰＳ情報４２１が所定の範囲であることを条件として案内情報４２Ｂを表示するようになっている。また、案内板Ｆに設けられたＲＦＩＤ２Ｆに格納されたＵＲＬ２１Ｆを取得した場合には、ＵＲＬ２１Ｆにアクセスし、ＧＰＳ情報４２１が所定の範囲である場合には、案内情報４２Ｂを表示するようになっている。なお、ＧＰＳ情報４２１が特定の範囲以外の場合には、案内表示アプリ４１０は、ＵＲＬ２１ＥやＵＲＬ２１Ｆへのアクセスや先に表示した案内情報の表示ができないように設定しておく。これにより、特定サイトに格納された案内情報へのアクセスは、案内表示アプリ４１０を用い、施設４００内に滞在しているときのみ、アクセスが可能とすることができる。
【００７４】
なお、本実施形態では、特定サイトに格納した案内情報へのアクセスを特定施設内でのみに制限する処理を、専用の案内表示アプリを用い、位置情報であるＧＰＳ情報を用いて行ったが、アクセスを制限する手法は、これに限定されるものではない。
【００７５】
（実施形態５）
実施形態５では、サッカー場、野球場などのスポーツ施設における案内情報の提供の例を、図１４を参照しながら説明する。
【００７６】
図１４に示すように、野球場を例として施設５００の各観客席５１０には、ＲＦＩＤタグ２Ｇが取り付けてある。各ＲＦＩＤタグ２Ｇに格納されたＵＲＬにスマートフォン、タブレットなどの携帯型情報処理装置３を介してアクセスすることにより、案内情報４２Ｇを閲覧できるようになっている。案内情報４２Ｇには、各種案内情報や避難誘導などの基本的情報の他、選手情報として、現在出場中の選手情報の提供や、施設５００内に設けられたディスプレイやテレビ中継などで流れるリプレイや選手情報、解説情報などの動画の提供が含まれている。これにより、テレビ中継などでしか見ることができなかったリプレイや解説などを、リアルタイムで閲覧でき、スポーツ観戦を今まで以上に楽しむことができるようになる。
【００７７】
なお、このような案内情報の提供は、施設５００内でのみとする制限を付加してもよい。
【００７８】
本発明は上述の発明を実施するための最良の形態に限らず、本発明の要旨を逸脱することなくその他種々の構成を採り得ることはもちろんである。
【産業上の利用可能性】
【００７９】
本発明に係る案内表示システムは、駅、観光スポット、各種スポーツ、美術施設などの案内情報の表示システムに使用できる。
【符号の説明】
【００８０】
１  案内板
２  ＲＦＩＤタグ
２ｂ  ゴム状弾性材
３  携帯型情報処理装置
４  管理コンピュータ
５  パソコン
２１  ＵＲＬ
３１  ＲＦＩＤ読み取り機能
３２  インターネットブラウザ
４１  データベース
４２  案内情報
４３  情報表示手段
４４  情報編集手段
【図１】
2016115090.tif 000003
【図２】
2016115090.tif 000004
【図３】
2016115090.tif 000005
【図４】
2016115090.tif 000006
【図５】
2016115090.tif 000007
【図６】
2016115090.tif 000008
【図７】
2016115090.tif 000009
【図８】
2016115090.tif 000010
【図９】
2016115090.tif 000011
【図１０】
2016115090.tif 000012
【図１１】
2016115090.tif 000013
【図１２】
2016115090.tif 000014
【図１３】
2016115090.tif 000015
【図１４】
2016115090.tif 000016